(57)【特許請求の範囲】
【請求項１】
正極集電体上に、
オリビン型構造のリチウム含有複合酸化物の直方体または略直方体の粒子と、
酸化グラフェンまたは２乃至１００の多層酸化グラフェンと、
を含む層を形成し、
前記正極集電体表面に対して垂直方向または略垂直方向に加圧し、
前記酸化グラフェンまたは前記２乃至１００の多層酸化グラフェンを還元することにより、正極活物質層を作製する工程を有し、
前記粒子は、ｂ軸方向の長さがａ軸及びｃ軸方向の長さよりも短い直方体又は略直方体であることを特徴とするリチウム二次電池用正極の作製方法。
【請求項２】
前記リチウム含有複合酸化物は、リン酸鉄リチウムである、
請求項１に記載のリチウム二次電池用正極の作製方法。
【発明の詳細な説明】
【技術分野】
【０００１】
本発明は、リチウム二次電池用の正極、およびその作製方法に関する。また、リチウム二次電池に関する。
【背景技術】
【０００２】
近年のスマートフォンやポータブルゲーム等の携帯機器の普及、および環境問題への関心の高まりに伴い、携帯機器や自動車用電源等に使用できるリチウム二次電池の容量や出力の向上が求められている。
【０００３】
リチウム二次電池をはじめとする二次電池の基本的な構成は、正極と負極との間に電解質を介在させたものである。正極及び負極としては、それぞれ、集電体と、集電体上に設けられた活物質と、を有する構成が代表的である。リチウム二次電池の場合は、リチウムイオンを吸蔵および放出することができる材料を、正極及び負極の活物質として用いる。
【０００４】
リチウム二次電池の容量や出力特性を向上させるため、様々な面からのアプローチが図られている。正極活物質の高容量化と出力性能の向上もその一つである。
【０００５】
正極活物質の材料としては、リン酸鉄リチウム（ＬｉｘＦｅＰＯ４（０＜ｘ≦１））をはじめとしたオリビン型構造のリチウム含有複合酸化物が注目されている。リン酸鉄リチウムは、コバルト（Ｃｏ）等と比較して非常に安価な鉄を用いていること、鉄（Ｆｅ（ＩＩ）とＦｅ（ＩＩＩ））の酸化還元が起こる材料としては高電位（約３．５Ｖ）を示すこと、サイクル特性が良好であること、理論容量が約１７０ｍＡｈ／ｇであり、エネルギー密度にして従来のコバルト酸リチウム（ＬｉＣｏＯ２）、ニッケル酸リチウム（ＬｉＮｉＯ２）といった材料を上回ること、安全性が高いこと、等の利点がある。
【０００６】
オリビン型構造のリチウム含有複合酸化物であるリン酸鉄リチウムは、リチウムイオンの経路が、結晶格子のｂ軸方向に一次元的に存在することが知られている（非特許文献１）。
【先行技術文献】
【特許文献】
【０００７】
【特許文献１】国際公開第ＷＯ２００９／１１７８７１号パンフレット
【非特許文献】
【０００８】
【非特許文献１】Ｓ．  Ｎｉｓｈｉｍｕｒａ，  Ｇ．  Ｋｏｂａｙａｓｈｉ，  Ｋ．  Ｏｈｏｙａｍａ，  Ｒ．  Ｋａｎｎｏ，  Ｍ．  Ｙａｓｈｉｍａ  ａｎｄ  Ａ．  Ｙａｍａｄａ、「Ｅｘｐｅｒｉｍｅｎｔａｌ  ｖｉｓｕａｌｉｚａｔｉｏｎ  ｏｆ  ｌｉｔｈｉｕｍ  ｄｉｆｆｕｓｉｏｎ  ｉｎ  ＬｉｘＦｅＰＯ４」、ネイチャー  マテリアルズ（Ｎａｔｕｒｅ  Ｍａｔｅｒｉａｌｓ）、２００８年、７巻、ｐｐ．７０７−７１１。
【発明の概要】
【発明が解決しようとする課題】
【０００９】
つまりオリビン型構造のリチウム含有複合酸化物は、ｂ軸以外の方向にはリチウムイオンの経路がなく、吸蔵および放出が起こりにくい。そのため、リチウム含有複合酸化物粒子のｂ軸が正極集電体表面に垂直に配向していない場合、リチウムイオンの吸蔵および放出がしにくいことがあった。
【００１０】
しかしながら、オリビン型構造のリチウム含有複合酸化物の結晶軸の配向を制御することは困難であった。たとえば、特許文献１の図１のように、固相法で作製したリチウム含有複合酸化物の粒子は通常、略球状となる。特許文献１では、略球状のリチウム含有複合酸化物の粒子に、導電助剤としてアセチレンブラック、バインダーとしてＰＶｄＦ（ポリフッ化ビニリデン）を用いて作製された二次電池が開示されている。この模式図を図４に示す。
【００１１】
図４（Ｂ）の正極２００は、正極集電体２２０と、正極活物質層２１０を有する。正極活物質層２１０は、オリビン型構造のリチウム含有複合酸化物粒子２１１と、導電助剤２１２と、図示しないがバインダーを有している。
【００１２】
導電助剤２１２およびバインダーは、リチウム含有複合酸化物粒子２１１と正極集電体２２０間の電子の経路を確保するため、また正極集電体２２０上に正極活物質層２１０を接着するために用いられている。しかし、アセチレンブラックやＰＶｄＦといった材料は、炭素の微粒子または一次元的なポリマーであり、摩擦係数が高い。そのためオリビン型構造のリチウム含有複合酸化物粒子２１１、導電助剤２１２およびバインダーが支え合っている。また、リチウム含有複合酸化物粒子２１１は略球状で、ａ軸、ｂ軸、ｃ軸いずれの方向にも同程度の長さを持つ。そのため図４（Ａ）のように、作製工程において正極集電体２２０に垂直または略垂直に正極活物質層２１０に加圧しても、リチウム含有複合酸化物粒子２１１の結晶軸の方向は変化しない。
【００１３】
そこで本発明では、リチウムイオンの吸蔵および放出を容易にしてより容量の大きな正極とするために、リチウム含有複合酸化物の単結晶のｂ軸を正極集電体表面に垂直に配向させることに注目した。
【００１４】
本発明は、リチウム含有複合酸化物の単結晶のｂ軸が、正極集電体表面に垂直に配向した正極を提供することを目的の一とする。
【課題を解決するための手段】
【００１５】
上記目的を達成するために、本発明の一態様では、リチウム含有複合酸化物粒子に酸化グラフェンまたは多層酸化グラフェンを混合することとした。さらに、リチウム含有複合酸化物粒子として、ｂ軸方向の長さがａ軸方向およびｃ軸方向の長さよりも短い直方体又は略直方体の単結晶を用いることとした。
【００１６】
酸化グラフェンまたは多層酸化グラフェンはシート状であり、特に多層の場合は低摩擦性であることが知られている。そのため、酸化グラフェンまたは多層酸化グラフェンを、リチウム含有複合酸化物粒子に混合すると、酸化グラフェンまたは多層酸化グラフェンは粒子を被覆する。するとこれらの混合物を加圧した際、直方体又は略直方体であるリチウム含有複合酸化物粒子が酸化グラフェンまたは多層酸化グラフェン上をすべりやすくなる。さらに、酸化グラフェンまたは多層酸化グラフェンを還元すると高い導電性を示すため、導電助剤としての機能を有する。また還元された酸化グラフェンまたは還元された多層酸化グラフェンはシート状でリチウム含有複合酸化物粒子を被覆しているため、バインダーとしての機能も有する。そのため、還元された酸化グラフェンまたは還元された多層酸化グラフェンを用いると導電助剤およびバインダーが不要、またはこれらの割合を低下させることができ、リチウム含有複合酸化物の割合を高めることができる。
【００１７】
またリチウム含有複合酸化物粒子としてｂ軸方向の長さがａ軸およびｃ軸方向の長さよりも短い、直方体又は略直方体の単結晶を用いるため、加圧によってｂ軸を配向させることができる。たとえば正極集電体表面に垂直または略垂直に加圧することにより、ｂ軸を正極集電体表面に垂直に配向させることができる。
【００１８】
本発明の一態様は、オリビン型構造のリチウム含有複合酸化物の直方体又は略直方体の粒子と、酸化グラフェンまたは２乃至１００の多層酸化グラフェンと、の混合物を、正極集電体表面に垂直または略垂直に加圧することにより、正極活物質層を作製する工程を有する、リチウム二次電池用正極の作製方法である。
【００１９】
また、本発明の一態様は、正極集電体と、正極集電体上の正極活物質層と、を有し、正極活物質層は、ｂ軸が正極集電体表面に垂直に配向した、オリビン型構造のリチウム含有複合酸化物の直方体又は略直方体の単結晶と、還元された酸化グラフェンまたは２乃至１００の還元された多層酸化グラフェンと、の混合物を含む、リチウム二次電池用正極である。
【００２０】
また、オリビン型構造のリチウム含有複合酸化物は、リン酸鉄リチウムであってもよい。
【００２１】
また、正極活物質層は、Ｘ線回折スペクトルにおけるオリビン型構造のリチウム含有複合酸化物の（０２０）面と（１０１）面の回折ピーク強度比（Ｉ（０２０）／Ｉ（１０１））が、４．５以上５．５以下であってもよい。
【発明の効果】
【００２２】
本発明の一態様により、リチウム含有複合酸化物の単結晶のｂ軸が、正極集電体表面に垂直に配向した正極を提供することができる。
【図面の簡単な説明】
【００２３】
【図１】本発明の一態様の正極を説明するための断面図。
【図２】本発明の一態様のリチウム二次電池を説明するための平面図および断面図。
【図３】リチウム二次電池の応用の形態を説明するための図。
【図４】正極の従来例を説明するための断面図。
【図５】本発明の一態様の正極に用いるリン酸鉄リチウム粒子の走査型電子顕微鏡写真。
【図６】本発明の一態様の正極のＸＲＤ測定結果。
【図７】参照例のＸＲＤ測定結果。
【図８】本発明の一態様の正極を用いたリチウム二次電池の充放電特性。
【図９】従来の正極を用いたリチウム二次電池の充放電特性。
【発明を実施するための形態】
【００２４】
以下、実施の形態について、図面を用いて詳細に説明する。但し、発明は以下に示す実施の形態の記載内容に限定されず、本明細書などにおいて開示する発明の趣旨から逸脱することなく形態および詳細を様々に変更し得ることは当業者にとって自明である。また、異なる実施の形態に係る構成は、適宜組み合わせて実施することが可能である。なお、以下に説明する発明の構成において、同一部分または同様な機能を有する部分には同一の符号を用い、その繰り返しの説明は省略する。
【００２５】
なお、図面などにおいて示す各構成の、位置、大きさ、範囲などは、理解の簡単のため、実際の位置、大きさ、範囲などを表していない場合がある。このため開示する発明は、必ずしも、図面などに開示された位置、大きさ、範囲などに限定されない。
【００２６】
また、本明細書等において「配向する」とは、複数の単結晶の粒子同士の結晶軸の方向が揃っていることをいう。「複数の単結晶の粒子同士の結晶軸の方向が揃う」という場合、複数の粒子の全ての結晶軸が揃っている必要はない。ある結晶軸に揃っている複数の単結晶の粒子が、他の向きに揃っている複数の単結晶の粒子よりも多ければよい。また全ての粒子が単結晶である必要はない。配向はＸＲＤ（Ｘ‐ｒａｙ  ｄｉｆｆｒａｃｔｉｏｎ、Ｘ線回折）法等で解析することができる。またＸＲＤ等のピーク強度比で配向度を解析することができる。
【００２７】
（実施の形態１）
本実施の形態では、本発明の一態様である正極１００とその作製方法の一例について、図１を用いて説明する。
【００２８】
本発明の一態様の正極１００では、作製工程において正極活物質層１１０に酸化グラフェンまたは多層酸化グラフェンを混合する。図１（Ｂ）に本発明の一態様である正極１００を示す。正極１００は、正極集電体１２０と、正極活物質層１１０を有する。正極活物質層１１０は、オリビン型リチウム含有複合酸化物粒子１１１と、酸化グラフェンまたは多層酸化グラフェン１１２を有している。なおリチウム含有複合酸化物粒子１１１中の矢印１１３は結晶軸のｂ軸方向を示す。
【００２９】
酸化グラフェンまたは多層酸化グラフェンは、アセチレンブラックやＰＶｄＦといった材料と比較して摩擦係数が低い。そのため図１（Ａ）のように正極集電体１２０の表面に垂直または略垂直に正極活物質層１１０を加圧すると、酸化グラフェンまたは多層酸化グラフェン１１２に接するリチウム含有複合酸化物粒子１１１がすべりやすい。
【００３０】
さらに、本発明の一態様では、リチウム含有複合酸化物粒子１１１として、ｂ軸方向の長さがａ軸方向およびｃ軸方向の長さよりも短い、直方体又は略直方体の単結晶を用いることとした。このような粒子を酸化グラフェンまたは多層酸化グラフェンと混合して加圧することで、正極活物質層１１０の厚さ方向である正極集電体１２０の表面に垂直にｂ軸が配向しやすくなる。ｂ軸が正極集電体１２０の表面に垂直に配向することで、リチウムイオンの吸蔵および放出が容易となる。
【００３１】
なお、図１では正極１００の作製方法を説明するため、酸化グラフェンまたは多層酸化グラフェン１１２を図示しているが、後の工程で酸化グラフェンまたは多層酸化グラフェンを還元してもよい。そのため還元された酸化グラフェンまたは還元された多層酸化グラフェンを有する正極１００としてもよい。
【００３２】
また、図１の正極活物質層１１０は、オリビン型リチウム含有複合酸化物粒子１１１と酸化グラフェンまたは多層酸化グラフェン１１２に加えて、導電助剤、バインダー等を含んでいてもよい。
【００３３】
＜リチウム含有複合酸化物粒子の作製＞
以降に、本発明の一態様である正極１００の作製方法について図１を用いて詳述する。まず、ｂ軸方向の長さがａ軸方向およびｃ軸方向の長さよりも短い、直方体又は略直方体の単結晶リチウム含有複合酸化物粒子１１１を作製する。
【００３４】
なお本明細書において、直方体および略直方体は、厳密な意味での直方体である必要はなく、ｂ軸方向の長さがａ軸方向およびｃ軸方向の長さよりも短い形状であればよい。そのため例えば、直方体から角がとれた形状、表面に凹凸を有する形状であってもよい。また、扁平な多角柱状、板状等であってもよい。
【００３５】
リチウム含有複合酸化物粒子１１１としては、ＬｉｘＭＰＯ４（０＜ｘ≦１）（Ｍ＝Ｆｅ、Ｍｎ、Ｃｏ、Ｎｉ）で示される材料を用いることができる。特にリン酸鉄リチウム（ＬｉｘＦｅＰＯ４（０＜ｘ≦１））は、安価で資源量の豊富な鉄を用いているため好ましい。本実施の形態ではリン酸鉄リチウムを用いることとする。
【００３６】
上記のようなリチウム含有複合酸化物粒子１１１の直方体又は略直方体の単結晶粒を作製する方法としては、ゾルゲル法、水熱法等を用いることができる。特に水熱法は、合成時のｐＨ、原料の濃度、反応時間、反応温度、添加物などの調整をすることで、生成される粒子の形状や粒子径を制御することが可能であるため好ましい。
【００３７】
水熱法によりｂ軸方向の長さがａ軸およびｃ軸方向の長さよりも短い、直方体又は略直方体のリン酸鉄リチウム単結晶を合成するには、たとえば、リン酸鉄リチウムの原料を水に０．３ｍｏｌ／Ｌ懸濁し、オートクレーブにて１５０℃、１５時間、０．４ＭＰａ処理すればよい。
【００３８】
＜酸化グラフェンまたは多層酸化グラフェンの作製＞
酸化グラフェンまたは多層酸化グラフェン１１２の作製方法は特に限定されないが、たとえばグラファイトを酸化処理し、酸化グラファイトとした後、溶液中で超音波により薄片化することで作製することができる。
【００３９】
なお本明細書において、グラフェンとは、ｓｐ２結合を有する１原子層の炭素分子のシートのことをいう。また、２乃至１００積み重なったグラフェンを多層グラフェンという。多層グラフェンには、３０原子％以下の炭素以外の元素が含まれていてもよい。また１５原子％以下の炭素と水素以外の元素が含まれていてもよい。また酸化されたグラフェンまたは多層グラフェンを、酸化グラフェンまたは多層酸化グラフェンという。また、グラフェンの端の一部がカルボキシル基（−ＣＯＯＨ）等で終端されたものと言うこともできる。
【００４０】
また、グラフェンまたは多層グラフェンを、グラフェンネットと言ってもよい。グラファイトの一層が炭素の６員環の連続であるのに対して、グラフェンネットの一層を構成するのは、炭素の６員環に限られない。グラフェンネットの一層の中には、例えば８員環、９員環又はそれ以上の環員数の炭素環が存在することがある。
【００４１】
＜正極の作製＞
次に、リチウム含有複合酸化物粒子１１１および酸化グラフェンまたは多層酸化グラフェン１１２を混合し、スラリーを作製する。
【００４２】
該スラリーを正極集電体１２０に塗布して乾燥させ、正極集電体１２０上に正極活物質層１１０を形成する。なお、図１では正極集電体１２０の片面に正極活物質層１１０を形成しているが、両面に形成してもよい。
【００４３】
さらに正極活物質層１１０を、正極集電体１２０の表面に垂直または略垂直に加圧する（図１（Ａ））。加圧の方法は、正極活物質層１１０を略一方向に加圧できる方法であればよい。たとえばロールプレス機を用いて行うことができる。
【００４４】
加圧により、正極活物質層１１０のリチウム含有複合酸化物粒子が酸化グラフェンまたは多層酸化グラフェン上をすべり、リチウム含有複合酸化物粒子をｂ軸が正極集電体１２０の表面に垂直になるよう配向させることができる（図１（Ｂ））。
【００４５】
その後、正極活物質層１１０中の酸化グラフェンまたは多層酸化グラフェンを還元し、グラフェンまたは多層グラフェンとする。還元は、たとえば焼成により行うことができる。
【００４６】
上記の還元により、リチウム含有複合酸化物粒子１１１が還元された酸化グラフェンまたは還元された多層酸化グラフェンに覆われた構造となる。
【００４７】
その後、正極集電体１２０および正極活物質層１１０を所望の形に加工し、正極１００とする。このようにして、本発明の一態様である正極１００を作製することができる。
【００４８】
（実施の形態２）
本実施の形態では、本発明の一態様に係るリチウム二次電池１５１とその作製方法の一例について、図２を用いて説明する。
【００４９】
本発明の一態様に係るリチウム二次電池１５１は、少なくとも、正極、負極、電解液を有する。当該正極は、実施の形態１に記載の正極１００である。
【００５０】
電解液は、塩を含む非水溶液又は塩を含む水溶液である。当該塩は、キャリアイオンであるリチウムイオンを含む塩であればよい。
【００５１】
図２（Ａ）に示すリチウム二次電池１５１は、外装部材１５３の内部に蓄電セル１５５を有する。また、蓄電セル１５５に接続する端子部１５７、１５９を有する。外装部材１５３は、ラミネートフィルム、高分子フィルム、金属フィルム、金属ケース、プラスチックケース等を用いることができる。
【００５２】
図２（Ｂ）は、図２（Ａ）に示すリチウム二次電池１５１のＸ−Ｙ線における断面を示す図である。図２（Ｂ）に示すように、蓄電セル１５５は、負極１６３と、正極１６５と、負極１６３及び正極１６５の間に設けられるセパレータ１６７と、外装部材１５３中を満たす電解液１６９とを有する。
【００５３】
正極１６５は、実施の形態１に記載の正極１００である。正極集電体１７５は、端子部１５７と接続される。また負極集電体１７１は、端子部１５９と接続される。また端子部１５７および端子部１５９は、それぞれ一部が外装部材１５３の外側に導出されている。
【００５４】
負極１６３は、負極集電体１７１及び負極活物質層１７３を有する。負極活物質層１７３は、負極集電体１７１の一方又は両方の面に形成される。また、負極活物質層１７３にはバインダー及び導電助剤が含まれていてもよい。
【００５５】
なお、本実施の形態では、リチウム二次電池１５１の外部形態として、密封された薄型リチウム二次電池を示しているが、これに限定されない。リチウム二次電池１５１の外部形態として、ボタン型リチウム二次電池、円筒型リチウム二次電池、角型リチウム二次電池など様々な形状を用いることができる。また、本実施の形態では、正極、負極、及びセパレータが積層された構造を示したが、正極、負極、及びセパレータが捲回された構造であってもよい。
【００５６】
負極集電体１７１には、チタン、アルミ又はステンレスなどの導電材料を箔状、板状又は網状などの形状したものを用いる。また、基板上に成膜することにより設けられた導電層を剥離して負極集電体１７１として用いることもできる。
【００５７】
負極活物質層１７３としては、リチウムイオンを電気化学的に吸蔵および放出することのできる材料を用いる。たとえば、リチウム、アルミニウム、炭素系材料、スズ、酸化スズ、シリコン、酸化シリコン、炭化シリコン、シリコン合金、またはゲルマニウムなどを用いることができる。又は、リチウム、アルミニウム、炭素系材料、スズ、酸化スズ、シリコン、酸化シリコン、炭化シリコン、シリコン合金、及びゲルマニウムから選択される一以上を含む化合物でもよい。なお、リチウムイオンの吸蔵および放出が可能な炭素系材料としては、粉末状若しくは繊維状の黒鉛等を用いることができる。また、シリコン、シリコン合金、ゲルマニウム、リチウム、アルミニウム、及びスズの方が、炭素系材料に比べてリチウムイオンを吸蔵できる容量が大きい。それゆえ、負極活物質層１７３に用いる材料の量を低減することができ、コストの節減、及びリチウム二次電池１５１の小型化が可能になる。
【００５８】
また、負極活物質層１７３は、上記列挙した材料を印刷法、インクジェット法、ＣＶＤ等により、凹凸状に形成したものでもよい。または、上記列挙した材料を塗布法、スパッタリング法、真空蒸着法などで膜状に設けた後、当該膜状の材料を部分的に除去して、表面を凹凸状に形成したものでもよい。
【００５９】
なお、負極集電体１７１を用いず、上記列挙した負極活物質層１７３に適用できる材料単体を負極として用いてもよい。
【００６０】
また、負極活物質層１７３がグラフェン、多層グラフェン、還元された酸化グラフェンまたは還元された多層酸化グラフェンを含んでいてもよい。たとえば、負極活物質を包むようにグラフェン、多層グラフェン、還元された酸化グラフェンまたは還元された多層酸化グラフェンが設けられていてもよい。このようにすることで、リチウムイオンの吸蔵および放出が負極活物質層１７３に与える影響を抑制することができる。当該影響とは、負極活物質層１７３が膨張又は収縮することで、負極活物質層１７３が微粉化又は剥離すること等である。また多層グラフェンはリチウムイオンを吸蔵および放出することができるため、負極がリチウムイオンを吸蔵できる容量を大きくすることができる。
【００６１】
電解液１６９には、リチウムイオンを有する塩を用いる。例えば、ＬｉＣｌＯ４、ＬｉＡｓＦ６、ＬｉＢＦ４、ＬｉＰＦ６、Ｌｉ（Ｃ２Ｆ５ＳＯ２）２Ｎなどのリチウム塩を用いることができる。
【００６２】
また、電解液１６９は、塩を含む非水溶液とすることが好ましい。つまり、電解液１６９の溶媒は、非プロトン性有機溶媒が好ましい。非プロトン性有機溶媒としては、例えば、エチレンカーボネート、プロピレンカーボネート、ジメチルカーボネート、ジエチルカーボネート、γ−ブチロラクトン、アセトニトリル、ジメトキシエタン及びテトラヒドロフランなどが挙げられ、これらの一又は複数を用いることができる。さらに、非プロトン性有機溶媒として、一のイオン液体又は複数のイオン液体を用いてもよい。イオン液体は、難燃性及び難揮発性であることから、リチウム二次電池１５１の内部温度が上昇した際にリチウム二次電池１５１の破裂又は発火などを抑制でき、安全性を高めることが可能となる。
【００６３】
また、電解液１６９として、塩を含み、且つゲル化された高分子材料を用いることで、漏液性を含めた安全性が高まり、リチウム二次電池１５１の薄型化及び軽量化が可能となる。ゲル化される高分子材料の代表例としては、シリコンゲル、アクリルゲル、アクリロニトリルゲル、ポリエチレンオキサイド、ポリプロピレンオキサイド又はフッ素系ポリマーなどがある。
【００６４】
さらに、電解液１６９としては、Ｌｉ３ＰＯ４などの固体電解質を用いることができる。
【００６５】
また、リチウム二次電池１５１はセパレータを有することが好ましい。セパレータ１６７として、絶縁性の多孔体を用いることができる。例えば、紙、ガラス繊維、セラミックス、またはナイロン（ポリアミド）、ビニロン（ポリビニルアルコール系繊維）、ポリエステル、アクリル、ポリオレフィン、ポリウレタンを用いた合成繊維等で形成されたものを用いることができる。ただし、電解液１６９に溶解しない材料を選ぶ必要がある。
【００６６】
リチウム二次電池は、メモリー効果が小さく、エネルギー密度が高く、充放電容量が大きい。また、出力電圧が高い。そのため、従来の二次電池と比較して、同じ容量でも小型化及び軽量化が可能である。また、充放電の繰り返しによる劣化が少なく、長期間の使用が可能である。本発明の一態様に係る正極を用いることで、さらに大容量のリチウム二次電池とすることができる。
【００６７】
なお、本実施の形態は、他の実施の形態又は実施例に記載した構成と適宜組み合わせて実施することが可能である。
【００６８】
（実施の形態３）
本発明の一態様に係るリチウム二次電池は、電力により駆動する様々な電気機器の電源として用いることができる。
【００６９】
本発明の一態様に係るリチウム二次電池を用いた電気機器の具体例として、表示装置、照明装置、デスクトップ型或いはノート型のパーソナルコンピュータ、ＤＶＤ（Ｄｉｇｉｔａｌ  Ｖｅｒｓａｔｉｌｅ  Ｄｉｓｃ）などの記録媒体に記憶された静止画又は動画を再生する画像再生装置、携帯電話、携帯型ゲーム機、携帯情報端末、タブレット型端末、電子書籍、ビデオカメラ、デジタルスチルカメラ、電子レンジ等の高周波加熱装置、電気炊飯器、電気洗濯機、エアコンディショナーなどの空調設備、電気冷蔵庫、電気冷凍庫、電気冷凍冷蔵庫、ＤＮＡ保存用冷凍庫や透析装置等の医療用電気機器などが挙げられる。また、リチウム二次電池からの電力を用いて電動機により推進する移動体なども、電気機器の範疇に含まれるものとする。上記移動体として、例えば、電気自動車、内燃機関と電動機を併せ持った複合型自動車（ハイブリッドカー）、電動アシスト自転車を含む原動機付自転車などが挙げられる。
【００７０】
なお、上記電気機器は、消費電力の殆ど全てを賄うためのリチウム二次電池（主電源と呼ぶ）として、本発明の一態様に係るリチウム二次電池を用いることができる。或いは、上記電気機器は、上記主電源や商用電源からの電力の供給が停止した場合に、電気機器への電力の供給を行うことができるリチウム二次電池（無停電電源と呼ぶ）として、本発明の一態様に係るリチウム二次電池を用いることができる。或いは、上記電気機器は、上記主電源や商用電源からの電気機器への電力の供給と並行して、電気機器への電力の供給を行うためのリチウム二次電池（補助電源と呼ぶ）として、本発明の一態様に係るリチウム二次電池を用いることができる。
【００７１】
図３に、上記電気機器の具体的な構成を示す。図３において、表示装置１０００は、本発明の一態様に係るリチウム二次電池１００４を用いた電気機器の一例である。具体的に、表示装置１０００は、ＴＶ放送受信用の表示装置に相当し、筐体１００１、表示部１００２、スピーカー部１００３、リチウム二次電池１００４等を有する。本発明の一態様に係るリチウム二次電池１００４は、筐体１００１の内部に設けられている。表示装置１０００は、商用電源から電力の供給を受けることもできるし、リチウム二次電池１００４に蓄積された電力を用いることもできる。よって、停電などにより商用電源から電力の供給が受けられない時でも、本発明の一態様に係るリチウム二次電池１００４を無停電電源として用いることで、表示装置１０００の利用が可能となる。
【００７２】
表示部１００２には、液晶表示装置、有機ＥＬ素子などの発光素子を各画素に備えた発光装置、電気泳動表示装置、ＤＭＤ（Ｄｉｇｉｔａｌ  Ｍｉｃｒｏｍｉｒｒｏｒ  Ｄｅｖｉｃｅ）、ＰＤＰ（Ｐｌａｓｍａ  Ｄｉｓｐｌａｙ  Ｐａｎｅｌ）、ＦＥＤ（Ｆｉｅｌｄ  Ｅｍｉｓｓｉｏｎ  Ｄｉｓｐｌａｙ）などの、半導体表示装置を用いることができる。
【００７３】
なお、表示装置には、ＴＶ放送受信用の他、パーソナルコンピュータ用、広告表示用など、全ての情報表示用表示装置が含まれる。
【００７４】
図３において、据え付け型の照明装置１１００は、本発明の一態様に係るリチウム二次電池１１０３を用いた電気機器の一例である。具体的に、照明装置１１００は、筐体１１０１、光源１１０２、リチウム二次電池１１０３等を有する。図３では、リチウム二次電池１１０３が、筐体１１０１及び光源１１０２が据え付けられた天井１１０４の内部に設けられている場合を例示しているが、リチウム二次電池１１０３は、筐体１１０１の内部に設けられていても良い。照明装置１１００は、商用電源から電力の供給を受けることもできるし、リチウム二次電池１１０３に蓄積された電力を用いることもできる。よって、停電などにより商用電源から電力の供給が受けられない時でも、本発明の一態様に係るリチウム二次電池１１０３を無停電電源として用いることで、照明装置１１００の利用が可能となる。
【００７５】
なお、図３では天井１１０４に設けられた据え付け型の照明装置１１００を例示しているが、本発明の一態様に係るリチウム二次電池は、天井１１０４以外、例えば側壁１１０５、床１１０６、窓１１０７等に設けられた据え付け型の照明装置に用いることもできるし、卓上型の照明装置などに用いることもできる。
【００７６】
また、光源１１０２には、電力を利用して人工的に光を得る人工光源を用いることができる。具体的には、白熱電球、蛍光灯などの放電ランプ、ＬＥＤや有機ＥＬ素子などの発光素子が、上記人工光源の一例として挙げられる。
【００７７】
図３において、室内機１２００及び室外機１２０４を有するエアコンディショナーは、本発明の一態様に係るリチウム二次電池１２０３を用いた電気機器の一例である。具体的に、室内機１２００は、筐体１２０１、送風口１２０２、リチウム二次電池１２０３等を有する。図３では、リチウム二次電池１２０３が、室内機１２００に設けられている場合を例示しているが、リチウム二次電池１２０３は室外機１２０４に設けられていても良い。或いは、室内機１２００と室外機１２０４の両方に、リチウム二次電池１２０３が設けられていても良い。エアコンディショナーは、商用電源から電力の供給を受けることもできるし、リチウム二次電池１２０３に蓄積された電力を用いることもできる。特に、室内機１２００と室外機１２０４の両方にリチウム二次電池１２０３が設けられている場合、停電などにより商用電源から電力の供給が受けられない時でも、本発明の一態様に係るリチウム二次電池１２０３を無停電電源として用いることで、エアコンディショナーの利用が可能となる。
【００７８】
なお、図３では、室内機と室外機で構成されるセパレート型のエアコンディショナーを例示しているが、室内機の機能と室外機の機能とを１つの筐体に有する一体型のエアコンディショナーに、本発明の一態様に係るリチウム二次電池を用いることもできる。
【００７９】
図３において、電気冷凍冷蔵庫１３００は、本発明の一態様に係るリチウム二次電池１３０４を用いた電気機器の一例である。具体的に、電気冷凍冷蔵庫１３００は、筐体１３０１、冷蔵室用扉１３０２、冷凍室用扉１３０３、リチウム二次電池１３０４等を有する。図３では、リチウム二次電池１３０４が、筐体１３０１の内部に設けられている。電気冷凍冷蔵庫１３００は、商用電源から電力の供給を受けることもできるし、リチウム二次電池１３０４に蓄積された電力を用いることもできる。よって、停電などにより商用電源から電力の供給が受けられない時でも、本発明の一態様に係るリチウム二次電池１３０４を無停電電源として用いることで、電気冷凍冷蔵庫１３００の利用が可能となる。
【００８０】
なお、上述した電気機器のうち、電子レンジ等の高周波加熱装置、電気炊飯器などの電気機器は、短時間で高い電力を必要とする。よって、商用電源では賄いきれない電力を補助するための補助電源として、本発明の一態様に係るリチウム二次電池を用いることで、電気機器の使用時に商用電源のブレーカーが落ちるのを防ぐことができる。
【００８１】
また、電気機器が使用されない時間帯、特に、商用電源の供給元が供給可能な総電力量のうち、実際に使用される電力量の割合（電力使用率と呼ぶ）が低い時間帯において、リチウム二次電池に電力を蓄えておくことで、上記時間帯以外において電力使用率が高まるのを抑えることができる。例えば、電気冷凍冷蔵庫１３００の場合、気温が低く、冷蔵室用扉１３０２、冷凍室用扉１３０３の開閉が行われない夜間において、リチウム二次電池１３０４に電力を蓄える。そして、気温が高くなり、冷蔵室用扉１３０２、冷凍室用扉１３０３の開閉が行われる昼間において、リチウム二次電池１３０４を補助電源として用いることで、昼間の電力使用率を低く抑えることができる。
【００８２】
図３において、タブレット型端末１４００は、本発明の一態様に係るリチウム二次電池１４０３を用いた電気機器の一例である。具体的に、タブレット型端末１４００は、筐体１４０１、筐体１４０２、リチウム二次電池１４０３等を有する。筐体１４０１および筐体１４０２はそれぞれタッチパネル機能を有する表示部を有し、指等の接触により表示部の表示内容を操作することができる。またタブレット型端末１４００は、筐体１４０１および筐体１４０２の表示部を内側にして折りたたむことができ、小型化させるとともに表示部を保護することが可能である。本発明の一態様に係るリチウム二次電池１４０３を用いることで、タブレット型端末１４００の小型化および長時間のモバイル使用が可能となる。
【００８３】
なお、本実施の形態は、他の実施の形態又は実施例に記載した構成と適宜組み合わせて実施することが可能である。
【実施例１】
【００８４】
本実施例では、本発明の一態様であるリチウム二次電池用正極を実際に作製し、正極活物質層の配向と電池特性の評価を行った結果について、図５乃至図９を用いて説明する。
【００８５】
＜リチウム含有複合酸化物の作製＞
本実施例ではオリビン型構造のリチウム含有複合酸化物として、水熱法で合成したリン酸鉄リチウムを用いた。
【００８６】
リン酸鉄リチウムの原料として、水酸化リチウム一水和物（ＬｉＯＨ・Ｈ２Ｏ）、塩化鉄（ＩＩ）四水和物（ＦｅＣｌ２・４Ｈ２Ｏ）およびリン酸二水素アンモニウム（ＮＨ４Ｈ２ＰＯ４）を用いた。
【００８７】
ＬｉＯＨ・Ｈ２Ｏ：ＦｅＣｌ２・４Ｈ２Ｏ：ＮＨ４Ｈ２ＰＯ４＝２：１：１［ｍｏｌ数比］となるよう秤量した。本実施例では、ＬｉＯＨ・Ｈ２Ｏを０．０６ｍｏｌ、ＦｅＣｌ２・４Ｈ２Ｏを０．０３ｍｏｌ、ＮＨ４Ｈ２ＰＯ４を０．０３ｍｏｌ秤量した。
【００８８】
以降は窒素雰囲気下で実験を行った。まず、上記の原料をそれぞれ、脱酸素した水３０ｍｌに溶解させた。脱酸素は、水をあらかじめ窒素でバブリングすることにより行った。
【００８９】
次に、リン酸二水素アンモニウム溶液をスターラーで攪拌しながら、水酸化リチウム溶液を徐々に加え、リン酸リチウム（Ｌｉ３ＰＯ４）が沈殿した溶液を調整した。
【００９０】
次に、塩化鉄（ＩＩ）の溶液をスターラーで攪拌しながら、リン酸リチウムを懸濁させた溶液を徐々に加え、リン酸鉄リチウムの前駆体を含む懸濁液を調整した。その後、脱酸素した水を加えて全量を１００ｍｌとした。
【００９１】
次に、上記の前駆体を含む懸濁液を、フッ素樹脂内筒を有する水熱合成用反応容器（ミニリアクターＭＳ型  ＭＳ２００−Ｃ（オーエムラボテック社製））に入れ、攪拌しながら約１５０℃、約０．４ＭＰａで、１５時間、水熱反応させた。
【００９２】
反応後、得られたリン酸鉄リチウムを濾過で回収し、純水で１０回洗浄した。洗浄後、減圧下で５０℃、１２時間以上乾燥させた。
【００９３】
図５に得られたリン酸鉄リチウムの走査型顕微鏡写真を示す。観察は、加速電圧１０．０ｋＶ、倍率は１００，０００倍で行った。図５のように、扁平な直方体、もしくは扁平な多角柱状の粒子が多数観察された。このリン酸鉄リチウムを正極に用いた。
【００９４】
＜酸化グラフェンまたは多層酸化グラフェンの作製＞
まず、グラファイトを酸化処理し、酸化グラファイトとした。酸化グラファイトを溶液中で超音波により酸化グラフェンまたは多層酸化グラフェンに薄片化した。これを乾燥させ、酸化グラフェンまたは多層酸化グラフェンの粉末とした。
【００９５】
＜正極の作製＞
リン酸鉄リチウムと酸化グラフェンまたは多層酸化グラフェンを、９７．５：２．５［重量比］の割合で混合し粉砕した。本実施例ではリン酸鉄リチウム０．１３８０ｇ、酸化グラフェンを０．００７２ｇ用いた。粉砕では溶媒にエタノールを使用し、ボールミルを用い、１ｍｍのボールで４００ｒｐｍ、４時間行った。その後エタノールを蒸発させて乾燥させた。
【００９６】
乾燥させたリン酸鉄リチウムと、酸化グラフェンまたは多層酸化グラフェンの混合物に、Ｎ−メチル−２−ピロリドン（ＮＭＰ）を混合してスラリーとした。本実施例では、ＮＭＰを０．４７８ｇ混合した。
【００９７】
正極集電体にはアルミ箔を用いた。スラリーをアルミ正極集電体上に１００μｍ程度の膜厚で塗工し、真空乾燥機を用いて１２０℃で乾燥させ、正極活物質層とした。乾燥後、アルミ正極集電体と正極活物質層を、ロールプレス機で加圧した。
【００９８】
その後、焼成を行い、正極活物質層中の酸化グラフェンまたは多層酸化グラフェンを還元し、還元された酸化グラフェンまたは還元された多層酸化グラフェンとした。焼成はガラスチューブオーブンを用い、ダイヤフラムポンプによる減圧下で２００℃で１時間行った後、３００℃に昇温して１０時間行った。
【００９９】
その後、アルミ正極集電体と正極活物質層を直径１２ｍｍの円形に打ち抜き、正極とした。
【０１００】
＜正極のＸＲＤ解析＞
図６に上記のように作製した正極のＸＲＤ測定結果を示す。また、図７に参照例として、固相法により合成したリン酸鉄リチウム粒子のＸＲＤ測定結果を示す。横軸は回折角（２θ）、縦軸は回折強度である。
【０１０１】
リン酸鉄リチウムのＸＲＤスペクトルにおいてｂ軸に垂直な（０２０）面のピークは回折角２９．７°付近、ｂ軸に垂直でない（１０１）面のピークは回折角２０．８°付近、ｂ軸に垂直でない（３０１）面のピークは回折角３２．２°付近に現れることが知られている。（Ａｎｎａ  Ｓ  Ａｎｄｅｒｓｓｏｎ  ｅｔ  ａｌ．，Ｌｉｔｈｉｕｍ  ｅｘｔｒａｃｔｉｏｎ／ｉｎｓｅｒｔｉｏｎ  ｉｎ  ＬｉＦｅＰＯ４：  ａｎ  Ｘ−ｒａｙ  ｄｉｆｆｒａｃｔｉｏｎ  ａｎｄ  Ｍｏｓｓｂａｕｅｒ  ｓｐｅｃｔｒｏｓｃｏｐｙ  ｓｔｕｄｙ，    Ｓｏｌｉｄ  Ｓｔａｔｅ  Ｉｏｎｉｃｓ，  ｖｏｌｕｍｅ  １３０，  ｐｐ．４１−５２  （２０００））
【０１０２】
図６の正極は、ｂ軸に垂直な（０２０）面とｂ軸に垂直でない（１０１）面の回折ピーク強度比（Ｉ（０２０）／Ｉ（１０１））が、４．６０であった。またｂ軸に垂直な（０２０）面とｂ軸に垂直でない（３０１）面の回折ピーク強度比（Ｉ（０２０）／Ｉ（３０１））が、４．０１であった。
【０１０３】
図７のリン酸鉄リチウム粒子は、ｂ軸に垂直な（０２０）面とｂ軸に垂直でない（１０１）面の回折ピーク強度比（Ｉ（０２０）／Ｉ（１０１））が、０．９３であった。またｂ軸に垂直な（０２０）面とｂ軸に垂直でない（３０１）面の回折ピーク強度比（Ｉ（０２０）／Ｉ（３０１））が、２．２５であった。
【０１０４】
図６および図７から、本発明の一態様の正極は、参照用のリン酸鉄リチウム粒子と比較して、ｂ軸に垂直な（０２０）面のピークが相対的に高く、（１０１）面や（３０１）面をはじめとするｂ軸に垂直でない面のピークが相対的に低くなっていることが明らかとなった。すなわち、本発明の一態様の正極では、正極活物質層中のリン酸鉄リチウム単結晶の粒子のｂ軸は、正極集電体表面に垂直に配向していることが明らかとなった。
【０１０５】
＜比較例の正極の作製＞
従来例の正極として、還元された酸化グラフェンに代えて、導電助剤としてアセチレンブラック、バインダーとしてＰＶｄＦを用いた正極を作製した。混合の割合は、リン酸鉄リチウム：アセチレンブラック：ＰＶｄＦ＝８５：８：７とした。上記の他は本発明の一態様の正極と同様に作製した。
【０１０６】
＜電池特性＞
上記のｂ軸が正極集電体表面に垂直に配向した正極について、電池特性の評価を行った。
【０１０７】
電池特性の評価のために、作用極として上記のように作製した正極を用い、対極としてＬｉ金属を用いてセルを作製した。セパレータにはポリプロピレン（ＰＰ）、電解液には１ｍｏｌ／Ｌの六フッ化リン酸リチウム（ＬｉＰＦ６）をエチレンカーボネート（ＥＣ）溶液とジエチルカーボネート（ＤＥＣ）の混合液（体積比１：１）に溶かしたものを用いた。
【０１０８】
図８に本発明の一態様の正極、図９に従来例の正極の充放電特性を示す。縦軸に電圧を、横軸に容量を示す。
【０１０９】
図８および図９から、本発明の一態様の正極は、従来例と比較して、充電容量および放電容量が向上することが明らかとなった。
【符号の説明】
【０１１０】
１００    正極
１１０    正極活物質層
１１１    リチウム含有複合酸化物粒子
１１２    酸化グラフェンまたは多層酸化グラフェン
１１３    矢印
１２０    正極集電体
１５１    リチウム二次電池
１５３    外装部材
１５５    蓄電セル
１５７    端子部
１５９    端子部
１６３    負極
１６５    正極
１６７    セパレータ
１６９    電解液
１７１    負極集電体
１７３    負極活物質層
１７５    正極集電体
２００    正極
２１０    正極活物質層
２１１    リチウム含有複合酸化物粒子
２１２    導電助剤
２２０    正極集電体
１０００    表示装置
１００１    筐体
１００２    表示部
１００３    スピーカー部
１００４    リチウム二次電池
１１００    照明装置
１１０１    筐体
１１０２    光源
１１０３    リチウム二次電池
１１０４    天井
１１０５    側壁
１１０６    床
１１０７    窓
１２００    室内機
１２０１    筐体
１２０２    送風口
１２０３    リチウム二次電池
１２０４    室外機
１３００    電気冷凍冷蔵庫
１３０１    筐体
１３０２    冷蔵室用扉
１３０３    冷凍室用扉
１３０４    リチウム二次電池
１４００    タブレット型端末
１４０１    筐体
１４０２    筐体
１４０３    リチウム二次電池
【図１】
0006029898.tif 000002
【図２】
0006029898.tif 000003
【図３】
0006029898.tif 000004
【図４】
0006029898.tif 000005
【図６】
0006029898.tif 000006
【図７】
0006029898.tif 000007
【図８】
0006029898.tif 000008
【図９】
0006029898.tif 000009
【図５】
0006029898.tif 000010